(57)【特許請求の範囲】
【請求項１】
包装対象の主物品を該主物品に関連した該主物品よりも小型な副物品と一緒に収容する外箱と、前記副物品を保持するための台座として形成され該外箱内に挿入されることにより前記主物品の位置決めを行なう位置決め台座とによって構成してなる物品包装箱において、前記位置決め台座は、前記副物品が嵌合する嵌合凹部が設けられた保持台と、該保持台と一体的に形成され前記嵌合凹部から副物品を取出して使用するときにこの副物品を載せる載置台とにより構成され、前記位置決め台座の保持台と載置台との間には、該載置台を切り離して使用するためのミシン目を形成してなることを特徴とする物品包装箱。
【請求項２】
前記主物品は容器であり、前記副物品は該容器に収容された内容物に関連した付属品である請求項１に記載の物品包装箱。
【請求項３】
前記主物品は化粧料を収容した容器であり、前記副物品は該容器内の化粧料に関連した石鹸、スポンジ、パフ、ティッシュ、剃刀のうちいずれかの物品である請求項１または２に記載の物品包装箱。
【請求項４】
包装対象の主物品を該主物品に関連した該主物品よりも小型な石鹸と一緒に収容する外箱と、前記石鹸を保持するための台座として形成され該外箱内に挿入されることにより前記主物品の位置決めを行なう位置決め台座とによって構成してなる物品包装箱において、
前記位置決め台座は、前記石鹸が嵌合する嵌合凹部が設けられた保持台と、該保持台と一体的に形成され前記嵌合凹部から石鹸を取出して、使用するときにこの石鹸を載せる石鹸受とにより構成され、
前記石鹸受は、石鹸が載せられる傾斜面をなす載置面と、該載置面を囲むように突設された低部側の突壁、高部側の突壁および左，右の突壁とを有し、載置面には、傾斜方向に延びる複数本の突条が設けられ、載置面の低部側に配設された突壁には、排水溝が形成されており、
前記位置決め台座の保持台と石鹸受との間には、該石鹸受を切り離して使用するためのミシン目を形成してなることを特徴とする物品包装箱。
【発明の詳細な説明】
【０００１】
【発明の属する技術分野】
本発明は、主物品と該主物品よりも小型な副物品とを１個の外箱に一緒に収容するのに用いて好適な物品包装箱に関する。
【０００２】
【従来の技術】
一般に、物品包装箱は、包装対象である主物品を該主物品に関連した該主物品よりも小型な副物品と一緒に収容するのに用いられることがある。そして、主物品の一つには化粧料が充填された容器があり、この場合の副物品には化粧料に関連した石鹸、スポンジ、パフ、ティッシュ、剃刀等がある。また、主物品には調味料が充填された容器があり、この場合の副物品には調味料に関連した卓上調味料入れ、注ぎ口、計量スプーン等がある。この他にも主物品と副物品との組合せには、塗料が充填された容器と刷毛との組合せ等がある。
【０００３】
このため、物品包装箱は、主物品と副物品とを一緒に収容する外箱と、前記副物品を保持するための台座として形成され該外箱内に挿入されることにより前記主物品の位置決めを行なう位置決め台座とによって構成している。
【０００４】
ここで、例えば主物品として化粧水が充填されたボトルを用い、副物品として試供品として添えられる小さな石鹸を用いた場合について説明する。この場合には、付加価値を付けるために試供品として添えられる石鹸を目立つように配置することが望まれるから、該石鹸はボトルに並べて配置される。従って、ボトルの隣りには、該ボトルの長さ寸法とほぼ同じ長さ寸法を有する直方体状をなし、その一部分だけに石鹸を保持するための嵌合凹部が形成された位置決め台座が配設される。
【０００５】
【発明が解決しようとする課題】
ところで、上述した従来技術による物品包装箱は、外箱にボトルと該ボトルよりも小さな石鹸とを一緒に収容し、直方体状の位置決め台座によって石鹸をボトルと並べて配置している。このため、位置決め台座は、ボトルとほぼ同等の大きさになるから、該位置決め台座の内部には大きな空間が形成されこととなる。この結果、物品包装箱内に無駄な空間が形成されるという問題がある。
【０００６】
本発明は上述した従来技術の問題に鑑みなされたもので、本発明の目的は、位置決め台座に他の機能を有する部材を設けることにより、外箱内の空間を有効に利用することができるようにした物品包装箱を提供することにある。
【０００７】
請求項１の発明による物品包装箱は、包装対象の主物品を該主物品に関連した該主物品よりも小型な副物品と一緒に収納する外箱と、該外箱内に挿入されることにより前記主物品の位置決めを行う位置決め台座とによって構成され、位置決め台座の保持部と載置台との間には、該載置台を切り離して使用するためのミシン目が形成してある。
【０００８】
そして、上述した課題を解決するために、請求項１の発明が採用する構成の特徴は、位置決め台座は、副物品が嵌合する嵌合凹部が設けられた保持台と、該保持台と一体的に形成され前記嵌合凹部から副物品を取り出して使用するときにこの副物品を載せる載置台とにより構成し、位置決め台座の保持部と載置台との間には、該載置台を切り離して使用するためのミシン目を形成したことにある。
【０００９】
このように構成したことにより、位置決め台座の保持台に形成された嵌合凹部に副物品を嵌合したときには、該副物品を外箱内の所定位置に配接することができ、保持台の嵌合部から取り出して使用した後に保持台に戻すことなく載置台に載せる、または、ミシン目に沿って載置台を引っ張ることによって保持台と載置台とを切り離すことができ、載置台を単体で使用することができる。
【００１０】
請求項２の発明によると、主物品は容器であり、副物品は該容器に収容された内容物に関連した付属品である。
【００１１】
請求項３の発明によると、主物品は化粧料を収容した容器であり、副物品は該容器内の化粧料に関連した石鹸、スポンジ、パフ、ティッシュ、剃刀のうちいずれかの物品である。このように構成したことにより、保持台の嵌合物には、保持台の嵌合凹部には、石鹸、スポンジ、パフ、ティッシュ、剃刀等を所定位置に配接することができる。また、載置台には、石鹸、スポンジ、パフ、ティッシュ、剃刀等を使用した後に、これらを載せることができる。
【００１２】
請求項４の発明による物品包装箱は、包装対象の主物品を該主物品に関連した該主物品よりも小型な石鹸と一緒に収容する外箱と、前記石鹸を保持するための台座として形成され該外箱内に挿入されることにより前記主物品の位置決めを行なう位置決め台座とによって構成してなる物品包装箱において、
前記位置決め台座は、前記石鹸が嵌合する嵌合凹部が設けられた保持台と、該保持台と一体的に形成され前記嵌合凹部から石鹸を取出して、使用するときにこの石鹸を載せる石鹸受とにより構成され、
前記石鹸受は、石鹸が載せられる傾斜面をなす載置面と、該載置面を囲むように突設された低部側の突壁、高部側の突壁および左，右の突壁とを有し、載置面には、傾斜方向に延びる複数本の突条が設けられ、載置面の低部側に配設された突壁には、排水溝が形成されており、
前記位置決め台座の保持台と石鹸受との間には、該石鹸受を切り離して使用するためのミシン目が形成してある。
【００１３】
このように構成したことにより、外箱内で無駄になっていた空間を利用し、石鹸を載せる石鹸受を設けることができる。これにより、主物品に石鹸、石鹸受という２つの付加価値を付けることができる。しかも、保持台と石鹸受との間には、該石鹸受を切り離すためのミシン目を形成しているから、ミシン目に沿って石鹸受を引っ張ることにより、石鹸受を単体で使用することができるから、洗面台の狭い場所でも石鹸受を配置することができる。
【００１４】
【発明の実施の形態】
以下、本発明の実施の形態による物品包装箱として化粧水が充填されたボトルと石鹸とを収容する物品包装箱を例に挙げ、図１ないし図６に従って詳細に説明する。
【００１５】
１は後述の外箱１２に収容される主物品としてのボトルで、該ボトル１は、内部に化粧水が充填されたほぼ円筒状のボトル本体１Ａと、該ボトル本体１Ａの開口側に螺着されたキャップ１Ｂとによって容器を構成している。
【００１６】
また、２はボトル１と一緒に外箱１２に収容される副物品としての石鹸で、該石鹸２は、ボトル１に充填された化粧水に関連した試供品（付属品）として該ボトル１に添えられるもので、その大きさはボトル１に比べて小さく、楕円状の外径形状を有している。
【００１７】
次に、１１は本実施の形態による物品包装箱で、該物品包装箱１１は、後述する外箱１２と位置決め台座１３とによって構成されている。
【００１８】
１２は物品包装箱１１の外形をなす外箱で、該外箱１２は、ボトル１と石鹸２を一緒に収容するものである。そして、外箱１２は、正面板１２Ａ、背面板１２Ｂ、左側面板１２Ｃ、右側面板１２Ｃ、底面板１２Ｄおよび開閉可能な蓋板１２Ｅとによって直方体状の箱形に形成されている。また、外箱１２は、内部に収容したボトル１、石鹸２が外部から見えるように、例えば透明な樹脂材料によって形成されている。
【００１９】
ここで、外箱１２の長さ寸法はボトル１の長さ寸法よりも僅かに大きな寸法に設定され、高さ寸法はボトル１の最大外径寸法よりも僅かに大きな寸法に設定されている。また、外箱１２の幅寸法は、ボトル１の最大外径寸法と後述する位置決め台座１３の保持台１５の幅寸法とを合わせた寸法に大略設定されている。
【００２０】
１３はボトル１と並んで外箱１２内に収容された位置決め台座で、該位置決め台座１３は、例えば樹脂材料からなる薄板に真空成形加工を施すことにより形成されている。そして、位置決め台座１３は、図４、図５に示すように、後述の板部１４、保持台１５、石鹸受１６等によって形成している。
【００２１】
１４は位置決め台座１３のベースをなし、該位置決め台座１３の全体に亘って形成された板部で、該板部１４は、ほぼ長方形状の薄板として形成されている。また、板部１４は、ボトル１側まで延び、この延長部分には後述のリブ１８が形成されている。
【００２２】
１５は板部１４の一側に設けられた保持台で、該保持台１５は、板部１４から上向きに突出した角筒状の周面１５Ａと、該周面１５Ａの上側を覆う上面１５Ｂと、該上面１５Ｂに形成された嵌合凹部１５Ｃとによって大略構成されている。また、嵌合凹部１５Ｃは、石鹸２を外箱１２内の所定位置、即ちボトル１の隣りでキャップ１Ｂ寄りに保持するもので、該石鹸２とほぼ同様の楕円形状の凹陥部として形成されている。ここで、保持台１５は、試供品として添えられる石鹸２を目立つ位置に配置するために、石鹸２を外箱１２内で正面板１２Ａ寄りに配置している。このため、保持台１５は、石鹸２を載せる台としては高すぎて適していない。
【００２３】
１６は板部１４の他側に設けられた載置台としての石鹸受で、該石鹸受１６は、石鹸２が載せられる傾斜面をなす載置面１６Ａと、該載置面１６Ａを囲むように突設された低部側の突壁１６Ｂ、高部側の突壁１６Ｃおよび左，右の突壁１６Ｄ，１６Ｄとによって大略構成されている。また、載置面１６Ａには、傾斜方向に延びる複数本の突条１６Ｅ，１６Ｅ，…が設けられ、該各突条１６Ｅは、載置面１６Ａの排水性を向上している。さらに、載置面１６Ａの低部側に配設された突壁１６Ｂには、載置面１６Ａを流れた水分を外部に逃すための排水溝１６Ｆが形成されている。
【００２４】
また、１７は保持台１５と石鹸受１６との間から石鹸受１６の右側に亘り板部１４にＬ字状に形成されたミシン目で、該ミシン目１７は、石鹸受１６を引っ張ることにより、該石鹸受１６を板部１４、保持台１５から切り離すもので、これにより、石鹸受１６は、図６に示すように単体で使用することができる。
【００２５】
１８は石鹸受１６の右側に位置して板部１４に形成されたリブで、該リブ１８は、上，下方向に延びた突条をなし、その先端がボトル１の形状に応じて左側に屈曲している。そして、リブ１８は、ボトル１のボトル本体１Ａ外周に当接し、これにより、該ボトル１が左側に移動して保持台１５、石鹸受１６に強く当接するのを防止している。
【００２６】
本実施の形態による物品包装箱１１は上述の如き構成を有するもので、次に、物品包装箱１１に化粧水のボトル１と石鹸２とを収容するときの動作について説明する。
【００２７】
この場合には、位置決め台座１３に設けられた保持台１５の嵌合凹部１５Ｃに石鹸２を嵌合し、この状態で位置決め台座１３とボトル１とを並べて外箱１２内に挿入する。そして、外箱１２の蓋板１２Ｅを閉じることにより、該外箱１２内にボトル１と石鹸２とを一緒に収容することができる。
【００２８】
ここで、外箱１２内に石鹸２を収容したときに、該石鹸２は、位置決め台座１３の保持台１５によって高い位置（外箱１２の正面板１２Ａ寄り）に配置される。これにより、石鹸２は外部から見易い位置に配置することができる。
【００２９】
一方、ボトル１（化粧水）、石鹸２を使用するときには、外箱１２からボトル１と石鹸２を保持している位置決め台座１３とを引き出す。ここで、位置決め台座１３の石鹸受１６をミシン目１７に沿って引っ張ることにより、該石鹸受１６を容易、かつきれいに切り離すことができる。これにより、位置決め台座１３の一部を利用して形成された石鹸受１６を単体で用いることができるから、石鹸受１６を洗面台上に配置することにより、使用後の石鹸２を該石鹸受１６に載せることができる。
【００３０】
以上のように、本実施の形態によれば、位置決め台座１３には、石鹸２を位置決め状態で固定する保持台１５に加え、使用中の石鹸を載せる石鹸受１６を設けている。従って、従来技術において外箱１２内で無駄になっていた空間を利用し、石鹸２を載せる石鹸受１６を設けることができる。これにより、主物品をなす化粧水に、石鹸２、石鹸受１６という２つの付加価値を付けることができる。
【００３１】
しかも、保持台１５と石鹸受１６との間には、該石鹸受１６を切り離すためのミシン目１７を形成しているから、ミシン目１７に沿って石鹸受１６を引っ張ることにより、石鹸受１６を容易、かつきれいに切り離すことができる。これにより、石鹸受１６を単体で使用することができるから、洗面台の狭い場所でも石鹸受１６を配置することができる。
【００３２】
また、位置決め台座１３は、樹脂材料を用いた真空成形によって形成しているから、保持台１５、石鹸受１６等を同時に形成することができる。これにより、石鹸受１６を設けた場合でも製造時の工程数を増やすことなく、位置決め台座１３を形成することができ、製造コストを抑えることができる。
【００３３】
一方、位置決め台座１３には、その板部１４にリブ１８を設けているから、該リブ１８によってボトル１を位置決め状態に固定することができる。これにより、ボトル１が保持台１５、石鹸受１６に衝突し、これらが損傷するのを防止でき、商品に対する信頼性を高めることができる。
【００３４】
さらに、石鹸受１６には、低部側の突壁１６Ｂに排水溝１６Ｆを設けているから、石鹸２を載置面１６Ａに載せたときに、載置面１６Ａに付着する水分を排水溝１６Ｆから逃すことができる。これにより、石鹸２を良好な状態で長期に亘って使用することができる。
【００３５】
なお、実施の形態では、物品包装箱１１に、主物品をなす化粧水のボトル１と化粧水に関連する副物品をなす石鹸２とを収容した場合を例に挙げて説明したが、本発明はこれに限るものではなく、例えば、主物品をなす液状のファンデーションが充填されたボトルと、ファンデーションに関連する副物品をなすスポンジ、パフ、ティッシュのうちいずれかの物品とを収容する構成としてもよい。また、主物品をなすシェービングクリームが充填されたボトルと、該シェービングクリームに関連した副物品をなす剃刀とを収容する構成としてもよい。さらに、食料品関係、塗料関係等の容器を収容するのに適用してもよい。
【００３６】
また、実施の形態では、石鹸受１６に水分を逃すための排水溝１６Ｆを設けた場合を例に挙げて説明したが、本発明はこれに限らず、例えば載置面１６Ａに水抜き用の排水孔を形成する構成としてもよい。
【００３７】
さらに、実施の形態では、物品包装箱１１に１本のボトル１と１個の石鹸２とを収容した場合を例に挙げて説明したが、これに替えて、例えば、ボトル１、石鹸２のいずれか一方、または両方を複数個収容することもできる。
【００３８】
【発明の効果】
以上詳述した通り、請求項１の発明によれば、位置決め台座は、副物品が嵌合する嵌合凹部が設けられた保持台と、該保持台と一体的に形成され前記嵌合凹部から副物品を取出して使用するときにこの副物品を載せる載置台とにより構成しているので、位置決め台座の保持台に形成された嵌合凹部に副物品を嵌合したときには、該副物品を外箱内の所定位置に配設することができる。また、副物品は、保持台の嵌合凹部から取出して使用した後に保持台に戻すことなく載置台に載せることができる。この結果、外箱内の空間を利用して形成した載置台によって主物品に付加価値を付けることができる。
【００３９】
請求項２の発明によれば、位置決め台座の保持台と載置台との間には、該載置台を切り離して使用するためのミシン目を形成しているので、ミシン目に沿って載置台を引っ張ることによって保持台と載置台とを容易、かつきれいに切り離すことができ、該載置台を単体で使用することができる。これにより、載置台を単体で使用することができ、該載置台を洗面台等のように狭い場所にも配置することができる。
【００４０】
請求項４の発明によれば、主物品は化粧料を収容した容器とし、副物品は該容器内の化粧料に関連した石鹸、スポンジ、パフ、ティッシュ、剃刀のうちいずれかの物品としているので、保持台の嵌合凹部には、石鹸、スポンジ、パフ、ティッシュ、剃刀等を所定位置に配設することができる。また、化粧料容器の使用時には載置台を利用して石鹸、スポンジ、パフ、ティッシュ、剃刀等を載せることができる。
【図面の簡単な説明】
【図１】本発明の実施の形態による物品包装箱にボトルと石鹸を収容した状態を示す外観斜視図である。
【図２】図１に示す物品包装箱の正面図である。
【図３】物品包装箱を図２中の矢示 III−III 方向からみた断面図である。
【図４】位置決め台座を単体で示す正面図である。
【図５】位置決め台座を単体で示す外観斜視図である。
【図６】石鹸受を切り離して石鹸を載せた状態を示す外観斜視図である。
【符号の説明】
１  ボトル（主物品）
２  石鹸（副物品）
１１  物品包装箱
１２  外箱
１３  位置決め台座
１５  保持台
１６  石鹸受（載置台）
１７  ミシン目
【図１】
0003653208.tif 000002
【図２】
0003653208.tif 000003
【図３】
0003653208.tif 000004
【図４】
0003653208.tif 000005
【図５】
0003653208.tif 000006
【図６】
0003653208.tif 000007